(57)【特許請求の範囲】
【請求項１】
メモリ用のフレキシブルディスクを内部で駆動するフレキシブルディスクドライブのフロントパネルに設けられる前記フレキシブルディスクの挿入口を塞ぐために設けるフロントシャッターの取付構造であって、
前記フレキシブルディスクドライブで、主要機能を有する回路及び部品を搭載するメインフレームで挿入される前記フレキシブルディスクの収納側を覆う主平面とその両側端に延在する両側面とを有し、該両側面のフロントパネル取付端に前記フロントシャッターの回転軸を挿入する軸穴を有するアッパーカバーと、
前記ディスク挿入口をほぼ塞ぐ大きさを有しかつ外側からフレキシブルディスクを挿入する際にはフレキシブルディスクに押されて前記フレキシブルディスクドライブの内側に前記アッパーカバーの軸穴に挿入された回転軸を軸に回転する前記フロントシャッターと、かつ
フロントシャッターにフロントシャッターの平面が前記ディスク挿入口の外側方向へ回転するような回転力を与える弾性体とを備え、
前記フロントシャッター及び前記アッパーカバーの少なくとも一方は、前記弾性体の回転力により、前記フロントシャッターが前記アッパーカバーの前面を塞ぐように停止させる掛止具を形成し、
前記アッパーカバーの主平面は、前記掛止具としてディスク挿入側端辺の一部をフレキシブルディスクドライブの内部側に後退させた舌状掛止具を有し、
前記フロントシャッターの回転軸は、前記アッパーカバーの主平面と平行で両側面に垂直でありかつフロントシャッターの少なくとも両端近辺で前記軸穴に回動可能に貫通する回転軸先端を有し、かつ
フロントシャッターの回転軸側端辺では前記掛止具として前記アッパーカバーが有する前記舌状掛止具に対応する位置にありフロントシャッターを該舌状掛止具に掛止させる突起を有することを特徴とするフロントシャッター取付構造。
【請求項２】
請求項１において、前記掛止具は、前記弾性体の回転力により、前記フロントシャッターが前記アッパーカバーの前面側で主平面にほぼ垂直になる位置から回転側端辺をやや外側の位置で停止するように形成されることを特徴とするフロントシャッター取付構造。
【請求項３】
請求項１において、前記弾性体は、コイル状をなし、中空部分に前記フロントシャッターの回転軸先端胴太部を挿入し、一方の先端部を前記アッパーカバーの内面に、他方の先端部をフロントシャッターの内面に延在させて該フロントシャッターに回転力を与え前記掛止具に押付けてフロントシャッターの位置を安定させることを特徴とするフロントシャッター取付構造。
【請求項４】
フレキシブルディスクを挿入口から挿入して内部で駆動するフレキシブルディスクドライブであって、主要機能を有する回路及び部品を搭載するメインフレームと、前記メインフレームの表面側の前記フレキシブルディスク収納側を覆うアッパーカバーと、このメインフレームの裏面側を覆うロアカバーと、前面に取付けられ前記フレキシブルディスクの挿入口を有するフロントパネルと、該ディスク挿入口を塞ぐためのフロントシャッターと、前記フロントシャッターにフロントシャッターの平面が前記ディスク挿入口の外側方向へ回転するような回転力を与える弾性体とを備え、
前記アッパーカバーは、前記メインフレームの表面側を覆う主平面と、該主平面の両側端で延在し互いに対向した一対の側壁面と、該両側面でフロントパネル取付端にあり前記フロントシャッターの回転軸を挿入する軸穴と、かつ前記主平面の前記フロントシャッター取付け側端辺の一部を内部側に後退させた舌状掛止具を有し、
前記フロントシャッターは、前記ディスク挿入口をほぼ塞ぐ大きさを有しかつ外側からフレキシブルディスクを挿入する際にはフレキシブルディスクに押されて前記フレキシブルディスクドライブの内側に回転軸を軸に回転するものであって、該回転軸は前記アッパーカバーの主平面と平行で両側壁面に垂直でありかつフロントシャッターの少なくとも両端近辺で前記軸穴に回動可能に貫通する回転軸先端を有し、かつフロントシャッターの回転軸側端辺では前記アッパーカバーが有する前記舌状掛止具に対応する位置にありフロントシャッターを該舌状掛止具に掛止させる突起を有し、かつ
前記弾性体は、コイル状をなし、中空部分に前記フロントシャッターの回転軸先端胴太部を挿入し、該フロントシャッターに回転力を与えて前記突起を前記舌状掛止具に押付け該フロントシャッターの平面が前記ディスク挿入口の外側方向へ回転するような回転力を与える
ことを特徴とするフレキシブルディスクドライブ。
【発明の詳細な説明】
【０００１】
【発明の属する技術分野】
本発明は、メモリ用のフレキシブルディスクを内部で駆動するフレキシブルディスクドライブの前面でフレキシブルディスクの挿入口に設けるフロントシャッター取付構造及びこのような構造のフロントシャッターを用いるフレキシブルディスクドライブに関し、特に、構造の簡潔化により組立て効率の向上を図ることができるフロントシャッター取付構造及びそれを用いたフレキシブルディスクドライブに関する。
【０００２】
【従来の技術】
従来、この種のフロントシャッター取付構造では、例えば、図１又は図２に示されるような、フロントシャッター１０がフロントパネル２０に取付けられたものがある。
【０００３】
図１はトップカバーを外したフレキシブルディスクドライブのフロントパネル２０近傍を示す斜視図である。図２は図１のフレキシブルディスクドライブから更にディスクホールダー及びイジェクトプレートを外し、フロントパネル２０を分離して示す斜視図である。
【０００４】
このフロントシャッター１０は、ほぼ平板長方形状をなし、フロントパネル２０に設けられるディスク挿入口２１のサイズより少々大き目である。従って、フロントシャッター１０は一方の長辺、図面では上辺に沿った回転軸により開閉され、その回転力は図示されていないスプリングにより与えられる。フロントシャッター１０はフレキシブルディスクドライブの内側からフロントパネル２０に押し付けられて回転を停止する。
【０００５】
フロントシャッター１０の細部は図示されていないが、回転端辺の中央部分内側には、フロントパネル２０に掛止する長辺部分が形成され、上記スプリングによりフロントシャッター１０がフロントパネル２０のディスク挿入口２１を十分に塞ぐ。このように、フロントシャッター１０がフロントパネル２０と平行面をなすような構造なので、スプリングはフロントパネル２０の引掛け用のダボ形状を有する掛止部を支点として取り付けられる。
【０００６】
また、上述したとは別のフロントシャッターを、図１を参照して説明すれば、フロントシャッター１０はフレキシブルディスクドライブのメインフレーム４０に取り付けられる。すなわち、メインフレーム４０の両側面に設けられる回転軸穴にフロントシャッター１０の回転軸が挿嵌される。この場合、回転ストッパーはフレームの曲げにより形成される突出物であり、スプリングの取付支点は、ディスクホールダのような固定フレームに設ける引掛け用の穴であり、スプリングはこの穴に取り付けられる。
【０００７】
【発明が解決しようとする課題】
上述した従来のフロントパネルに取付けるフロントシャッター取付構造では、フロントシャッターの表面がフロントパネルの裏面と平行な面となるので、フロントシャッターの回転軸の固定構造に対してスプリングを屈曲させる支点構造が必要であり、組立ての際に手間を必要とする。また、パネル仕様のフロントパネルをフレキシブルディスクドライブから外した場合、シャッターも同時に外されてしまうので、シャッター仕様にはならない。
【０００８】
他方、メインフレームに取付ける構造では、メインフレームに主要回路を搭載しメインフレームの表裏面をカバーで覆っているので、両側面をディスク挿入口まで延長して設けかつこの側面にフロントシャッターの回転軸を支持する軸穴を設け、かつスプリングの引っ掛け用穴を設けるなど、これも構造を複雑化するのみならず、スプリングを引っ掛け用穴に掛ける手間を必要とする。
【０００９】
本発明の課題は、このような問題点を解決し、構造の簡潔化により組立て効率の向上を図ることができるフロントシャッター取付構造を提供することである。
【００１０】
【課題を解決するための手段】
本発明によるフロントシャッター取付構造では、フロントシャッター（１００）はアッパーカバー（５０）に取り付けられている。したがって、フレキシブルディスクドライブの前面からフロントパネル（２０）を取り外してもフロントシャッター（１００）が本体に残るので、パネル仕様であると共にシャッター仕様に変更することができる。
【００１１】
アッパーカバー（５０）はメインフレームで挿入されるフレキシブルディスクの収納側を覆う主平面（５０-M）とその両側端に延在する両側面（５０−Ｒ，５０−Ｌ）とを有している。両側面（５０-R，５０-L）は、フロントパネル取付端にフロントシャッター（１００）の回転軸先端（１０４-R，１０４-L（図示せず））を挿入する軸穴（５１-R，５１-L）を有する。主平面（５０-M）はフレキシブルディスクを挿入する前面側端辺の一部をフレキシブルディスクドライブの内部側に折り曲げて後退させた舌状掛止具（５２）を有している。
【００１２】
フロントシャッター（１００）はフロントパネルのディスク挿入口を塞ぐ大きさを有しかつ外側からフレキシブルディスクを挿入する際にはフレキシブルディスクに押されてフレキシブルディスクドライブの内側にアッパーカバー（５０）の軸穴（５１-R，５１-L）に挿入された回転軸先端（１０４-R，１０４-L）を回転軸として回転する。フロントシャッター（１００）の回転軸はアッパーカバー（５０）の主平面（５０-M）と平行で両側面（５０-R，５０-L）に垂直でありかつフロントシャッター（１００）の少なくとも両端近辺で軸穴（５１-R，５１-L）を回動可能に貫通する回転軸先端（１０４-R，１０４-L）を有している。なお、フロントシャッター（１００）は回転軸側端辺でアッパーカバー（５０）が有する舌状掛止具（５２）に対応する位置にありかつフロントシャッター（１００）を舌状掛止具（５２）に掛止させる突起（１０２）を有している。
【００１３】
更に、弾性体のコイルスプリング（６０）は、フロントシャッター（１００）にフロントシャッターの平面がディスク挿入口（２１）の外側方向へ回転するような回転力を与えている。
【００１４】
このコイルスプリング（６０）の回転力により安定する舌状掛止具（５２）と突起（１０２）との相対位置は、舌状掛止具（５２）を突起（１０２）に掛止させた際に、フロントシャッター（１００）がアッパーカバー（５０）の主平面（５０−Ｍ）にほぼ垂直になる位置から回転側端辺をやや外側の位置に設定することができる。
【００１５】
このフロントシャッター（１００）の表面は、フロントパネル（２０）をフレキシブルディスクドライブの前面に差込固定した際に、フロントパネル（２０）の裏面に密着してトップカバー５０の主平面（５０-M）にほぼ垂直に位置することになる。
【００１６】
また、コイルスプリング（６０）は、中空部分にフロントシャッター（１００）の回転軸（１０３-R）を挿入し、一方の先端部をアッパーカバー（５０）の内面に、他方の先端部をフロントシャッター（１００）の内面に延在させてフロントシャッター（１００）に回転力を与え、舌状掛止具（５２）を突起（１０２）に押付けてフロントシャッター（１００）の位置を安定させている。
【００１７】
上述したような構成は少なくとも、弾性体のコイルスプリング（６０）先端部の加工を不要にし、またフレームに先端部を引っ掛ける穴を不要にしている。
【００１８】
上記括弧内の符号は、理解を容易にするために付したものであり、一例にすぎず、本発明はこれらに限定されるものではない。
【００１９】
【発明の実施の形態】
次に、本発明の実施の形態について図面を参照して説明する。参照する図面は本発明の特徴を示すもので、本発明に直接関連しない個所の詳細は省略されている。
【００２０】
ここでまず、図１から図３までを併せ参照してフレキシブルディスクドライブの構造について概略を説明する。薄板のほぼ正方形状のフレキシブルディスクは「Ａ」方向から挿入される。そして、フレキシブルディスクが挿入される面をフレキシブルディスクドライブの前面とする。
【００２１】
図１に示されるメインフレーム４０は主要機能を有する回路及び部品を搭載しており表面側にイジェクトプレートとディスクホールダとが装備され更にその表面にプリント配線基板が組み立てられている。ディスクホールダには挿入されたフレキシブルディスクが収納される。イジェクトプレートは前面からイジェクトボタンを操作することによりディスクホールダに挿入されたフレキシブルディスクを排出する。
【００２２】
フレキシブルディスクドライブは、このメインフレーム４０の、表面側のディスク収納側を図３に示されるアッパーカバー５０、かつ裏面をロアカバー３０により覆われた後、前面からフロントパネル２０により覆われた形状をなす。フロントパネル２０は、図２に示される取付け爪２２によりリアカバー３０及びメインフレーム４０の側面に形成される引掛け穴に引掛けることにより固定される。
【００２３】
本発明の特徴は、アッパーカバー５０の前面側には図３に示されるようにフロントシャッター１００が取り付けられていることである。そして、フロントシャッター１００はフロントパネル２０のディスク挿入口２１を内側から塞ぐことになる。すなわち、フロントパネル２０なしのフレキシブルディスクドライブに、フロントシャッター１００が取り付けられている。
【００２４】
図３は本発明の実施の一形態を示す概観斜視図である。上述したように図示されたフロントシャッター１００の取付位置は、フレキシブルディスクが「Ａ」方向から挿入されるアッパーカバー５０の前面側である。
【００２５】
次に、図１から図６までを併せ参照してアッパーカバー５０及びフロントシャッター１００の取付構造について説明する。
【００２６】
図４は図３における前面右側取り付け構造の詳細を示す分解図であり、図５はこの組立て後を示す斜視図である。
【００２７】
図６は図３における前面左側取り付け構造の詳細を示す分解図である。
【００２８】
図示されるアッパーカバー５０は、メインフレーム４０で挿入されるフレキシブルディスクの収納側を覆う主平面５０-Mとその両側端に延在する側面５０-R，５０-Lとを有している。側面５０-R，５０-Lそれぞれは、フロントパネル２０の取付端にフロントシャッター１００の回転軸先端１０４-R，１０４-Lそれぞれを挿入する軸穴５１-R，５１-Lを有している。主平面５０-Mはフレキシブルディスクを挿入する前面側端辺の一部をフレキシブルディスクドライブの内部側に折り曲げて前面から後退させて形成する舌状掛止具５２を備えている。
【００２９】
図示されるフロントシャッター１００は、長方形の外観でディスク挿入口２１をほぼ塞ぐ大きさを有し、外側からフレキシブルディスクを挿入する際にはフレキシブルディスクに押されてフレキシブルディスクドライブの内側に回転軸を軸に回転する。フロントシャッター１００は、一方の長辺に沿って回転軸を有し、他方の長辺の中央部にはディスク挿入口２１の形状に合せたストッパー１０１が形成されている。回転軸を有する側の端辺ではアッパーカバー５０が有する舌状掛止具５２に対応する位置にあり、フロントシャッター１００がアッパーカバー５０に取付けられた際に、舌状掛止具５２に掛止する突起１０２を有する。
【００３０】
突起１０２の先端は、フロントシャッター１００が回転してもアッパーカバー５０の主平面５０-Mの表面より上に突き出してはならない。従って、フロントシャッター１００が回転して突起１０２が突き当たる舌状掛止具５２の先端辺は、主平面５０-Mの表面より内側に位置する。また後述するように、フロントシャッター１００が取付け後のフロントパネル２０に密着するため、突起１０２が舌状掛止具５２に突き当たる位置では、フロントシャッター１００の回転軸と逆側の端辺はアッパーカバー５０の前面より多少外側に位置している。すなわち、この端辺は取付けのフロントパネル２０により内側方向に押し込まれて、所定の位置に収まる。
【００３１】
フロントシャッター１００の回転軸は、両端部分に回転軸先端胴太部１０３-R，１０３-Lと回転軸先端１０４-R，１０４-Lとを有する。回転軸先端胴太部１０３-R，１０３-Lは軸穴５１-R，５１-Lの大きさより大きな断面を有しており、フロントシャッター１００の回転軸の先端部分として固定される。回転軸先端１０４-R，１０４-Lが軸穴５１-R，５１-Lを貫通してフロントシャッター１００をアッパーカバー５０に取付けた際に、フロントシャッター１００は回転軸先端胴太部１０３-R，１０３-Lとアッパーカバー５０の両側面５０-R，５０-Lとにより所定位置に収まることができる。
【００３２】
また、回転軸先端胴太部１０３-R，１０３-Lの長さは前面からフロントパネル２０を取付ける際に取付け爪２２を挿入する隙間を形成する。更に、回転軸先端胴太部１０３-Lには弾性体としてコイルスプリング６０が装着され、フロントシャッター１００に回転力が与えられる。
【００３３】
図６には、フロントシャッター１００組立て後のアッパーカバー５０の、フロントシャッター１００の前面からみて左側コーナーにおける表面及び裏面からの斜視図が示されている。
【００３４】
図示されるように、組立ての際に、コイルスプリング６０が回転軸先端胴太部１０３-Lに装着される。コイルスプリング６０は、一方の先端部をアッパーカバー５０の主平面５０-Mと側面５０-Lとの接合部分に延在し、他方の先端部をフロントシャッター１００の裏面に延在させて固定する。このような形状のため、コイルスプリング６０に特別な、例えば鉤状加工は不必要である。また、フロントシャッター１００及びアッパーカバー５０にも特別な加工、例えば穴あけは不要である。
【００３５】
コイルスプリング６０により、フロントシャッター１００はアッパーカバー５０の前面側で外側方向へ開く回転運動をする。しかし、フロントシャッター１００の突起１０２がアッパーカバー５０の舌状掛止具５２に衝突する。従って、フロントシャッター１００はストッパー１０１を有する回転移動側の端辺をアッパーカバー５０の前面から外側方向へ多少はみ出るように位置して固定される。しかし、このはみ出た分は、後で取付けられるフロントパネル２０によりストッパー１０１が抑え込まれて正常な位置に収納される。すなわち、フロントシャッター１００の前面は、フレキシブルディスクドライブの前面としてアッパーカバー５０の主平面５０-Mに垂直な面を形成する。
【００３６】
このようにして、フロントシャッター１００はアッパーカバー５０の前面側に取付けられ、その表面はコイルスプリング６０の弾性によりアッパーカバー５０の前面を塞ぐ位置で舌状掛止具５２に突起１０２が押し当てられて回転を停止している。従って、メインフレーム４０の表面側からフロントシャッター１００を有するアッパーカバー５０、また裏面側からリアカバー３０を取付けてフレキシブルディスクドライブ本体を形成した場合には、シャッター仕様として取扱いができる。一方、これにフロントパネル２０を取付けることによりパネル仕様として扱うこともできる。
【００３７】
上記説明では、弾性体をコイルスプリングとし、弾性により回転を停止させる掛止部分も舌状掛止具に対する突起とし、回転軸先端部の形状も図示したが、他の形状でもよい。突起を厚手の長方体に図示したが強度が充たされれば棒状でもよい。
【００３８】
このように、本発明は上述した実施の形態に限定せず、本発明の趣旨を逸脱しない範囲内で種々の変更・変形が可能なのは勿論である。
【００３９】
【発明の効果】
以上説明したように本発明によれば、フロントシャッターがアッパーカバーに取り付けられているフレキシブルディスクドライブを提供している。この結果、パネル仕様にもシャッター仕様にも対応することができる。
【００４０】
また、本発明によるフロントシャッター取付構造では、アッパーカバーの主平面前面端辺に舌状掛止具、またフロントシャッターの回転軸側端辺に突起それぞれを備えて突き当てることにより、弾性体の弾性によるによるフロントシャッターの回転を停止させている。この結果、フロントシャッター付きのアッパーカバーの取扱いが容易となり、更に、後工程のフロントパネルの装着が容易になる。
【００４１】
更に、弾性体のコイルスプリングは先端部の加工を不要にしまたフレームに先端部を引っ掛ける穴を不要にしている。
【００４２】
上述の結果、設計の効率化、組立てを含む製造工程の効率向上を図ることができるので、製品のコストダウンを実現できるという効果を得ることができる。
【図面の簡単な説明】
【図１】トップカバーを外したフレキシブルディスクドライブのフロントパネル近傍を示す斜視図である。
【図２】図１のフレキシブルディスクドライブからディスクホールダー及びイジェクトプレートを外し、フロントパネルを分離して示す斜視図である。
【図３】本発明の実施の一形態を示す概観斜視図である。
【図４】図３における前面右側取り付け構造の分解を示す部分斜視図である。
【図５】図４の組立て後を示す斜視図である。
【図６】図３における前面左側取り付け構造の表面及び裏面を示す部分図である。
【符号の説明】
２０    フロントパネル
２１    ディスク挿入口
５０    アッパーカバー
５０-M    主平面
５０-R、５０-L    側面
５１-R、５１-L    軸穴
５２  舌状掛止具
６０    コイルスプリング
１００    フロントシャッター
１０１    ストッパー
１０２    突起
１０３-R、１０３-L    回転軸先端胴太部
１０４-R    回転軸先端
【図１】
0003994267.tif 000002
【図２】
0003994267.tif 000003
【図３】
0003994267.tif 000004
【図４】
0003994267.tif 000005
【図５】
0003994267.tif 000006
【図６】
0003994267.tif 000007